【手続補正書】
【提出日】平成18年12月22日(2006.12.22)
【手続補正１】
【補正対象書類名】明細書
【補正対象項目名】特許請求の範囲
【補正方法】変更
【補正の内容】
【特許請求の範囲】
【請求項１】  映像データに応じた複数の階調電圧で駆動される表示装置のための駆動回路であって、
ｍ＋ｎ個の階調電圧を発生する階調電圧発生回路と、
前記表示装置の電圧−輝度特性が非線形領域か、または線形領域かを映像データの上位ｋビットから判別する判別回路と、
前記非線形領域で、映像データの上位ｐビットと下位ｑビットとの全ビットに対応し前記ｍ個の階調電圧のなかから１個の階調電圧を選択するか、または、前記線形領域で、前記映像データの上位ｐビットに対応し前記ｎ個の階調電圧のなかから１または２個の階調電圧を選択する階調電圧選択回路と、
を備えることを特徴とする多階調デジタル映像データを表示するための駆動回路。
【請求項２】  請求項１に記載の駆動回路であって、
前記線形領域で、前記映像データの上位ｐビットに対応して選択した１個の階調電圧に前記映像データの下位ｑビットに対応したオフセット電圧を加算または減算した電圧を出力する出力回路を更に備えることを特徴とする多階調デジタル映像データを表示するための駆動回路。
【請求項３】  請求項１に記載の駆動回路であって、
前記線形領域で、前記映像データの上位ｐビットに対応して選択した２個の階調電圧を前記映像データの下位ｑビットに対応して前記選択した２個の階調電圧との間の電圧を出力する出力回路を更に備えることを特徴とする多階調デジタル映像データを表示するための駆動回路。
【請求項４】  映像データに応じた複数の階調電圧で駆動される表示装置のための駆動方法であって、
ｍ＋ｎ個の階調電圧を発生する階調電圧発生ステップと、
前記表示装置の電圧−輝度特性が非線形領域か、または線形領域かを映像データの上位ｋビットから判別するステップと、
前記非線形領域で、映像データの上位ｐビットと下位ｑビットとの全ビットに対応し前記ｍ個の階調電圧のなかから１個の階調電圧を選択するか、または、前記線形領域で、映像データの上位ｐビットに対応し前記ｎ個の階調電圧のなかから１または２個の階調電圧を選択するステップと、
を有することを特徴とする多階調デジタル映像データを表示するための駆動方法。
【請求項５】  請求項４に記載の駆動方法であって、
前記線形領域で、前記映像データの上位ｐビットに対応して選択した１個の階調電圧に前記映像データの下位ｑビットに対応したオフセット電圧を加算または減算した電圧を出力するステップを更に有することを特徴とする多階調デジタル映像データを表示するための駆動方法。
【請求項６】  請求項４に記載の駆動方法であって、
前記線形領域で、前記映像データの上位ｐビットに対応して選択した２個の階調電圧を前記映像データの下位ｑビットに対応して前記選択した２個の階調電圧との間の電圧を出力するステップを更に有することを特徴とする多階調デジタル映像データを表示するための駆動方法。
【手続補正２】
【補正対象書類名】明細書
【補正対象項目名】０００２
【補正方法】変更
【補正の内容】
【０００２】
【従来の技術】
図１０に、従来の駆動回路の構成を示す。この回路は２４０画素×６ビット／画素のデジタル映像データを表示するための駆動回路である。
【手続補正３】
【補正対象書類名】明細書
【補正対象項目名】０００３
【補正方法】変更
【補正の内容】
【０００３】
このデジタル映像データを表示するための駆動回路は、８０ビットシフトレジスタ９０１、データレジスタ９０２、データラッチ回路９０３、階調電圧選択回路群９０４、増幅器群９０５、階調電圧発生回路９０６を備える。８０ビットシフトレジスタ９０１、データレジスタ９０２、データラッチ回路９０３には、電源電圧ＶＤＤ１、ＶＳＳ１が供給され、階調電圧選択回路群９０４、増幅器群９０５には、電源電圧ＶＤＤ２、ＶＳＳ２が供給される。
【手続補正４】
【補正対象書類名】明細書
【補正対象項目名】０００７
【補正方法】変更
【補正の内容】
【０００７】
階調電圧発生回路９０６は、図１１に示すような構成をとり、階調電圧Ｖ０〜Ｖ８を入力し、隣接する階調電圧間を抵抗で８分割し、階調電圧Ｖ０〜Ｖ７と共に抵抗分割された電圧を出力する。従って、階調電圧発生回路９０６は、６４個の電圧を出力する。階調電圧Ｖ０〜Ｖ８の値を、駆動するＬＣＤ(Liquid Crystal Display)に合わせて非線形に調整することにより、そのＬＣＤの図１２に示すような電圧−透過率特性の非線形性の補正をすることができる。
【手続補正５】
【補正対象書類名】明細書
【補正対象項目名】０００８
【補正方法】変更
【補正の内容】
【０００８】
階調電圧選択回路群９０４は、各画素に付き図１３に示すようにデコーダ９０４−１と階調数に等しい数のスイッチ９０４−２を備え、データラッチ回路９０３から出力される２４０画素の各々について、階調電圧発生回路９０６から供給される６４個の電圧のうちの１つの電圧を、６ビットの映像データの値に応じて選択してアナログ信号として出力する。
【手続補正６】
【補正対象書類名】明細書
【補正対象項目名】００１０
【補正方法】変更
【補正の内容】
【００１０】
このデジタル映像データを表示するための駆動回路の方式を、一般に「抵抗ストリング方式」という。また、この駆動回路は、「Society for Information Display(SID) International symposium digest of technical, papers volumeＸＸVI」（斉藤、北村著、発行年月日：１９９５年）のｐ２５７〜ｐ２６０に記載されている。尚、この文献に記載の階調電圧選択回路群９０４内の各画素毎の階調電圧発生回路は、図１４に示すようにエンハンスメント型トランジスタとディプレション型トランジスタで構成されており、スイッチ９０４−２を構成するために必要とされていたトランジスタを省いている。
【手続補正７】
【補正対象書類名】明細書
【補正対象項目名】００１７
【補正方法】変更
【補正の内容】
【００１７】
【課題を解決するための手段】
本発明によれば、映像データに応じた複数の階調電圧で駆動される表示装置のための駆動回路であって、ｍ＋ｎ個の階調電圧を発生する階調電圧発生回路と、前記表示装置の電圧−輝度特性が非線形領域か、または線形領域かを映像データの上位ｋビットから判別する判別回路と、前記非線形領域で、映像データの上位ｐビットと下位ｑビットとの全ビットに対応し前記ｍ個の階調電圧のなかから１個の階調電圧を選択するか、または、前記線形領域で、前記映像データの上位ｐビットに対応し前記ｎ個の階調電圧のなかから１または２個の階調電圧を選択する階調電圧選択回路と、を備えることを特徴とする多階調デジタル映像データを表示するための駆動回路が提供される。
【手続補正８】
【補正対象書類名】明細書
【補正対象項目名】００１８
【補正方法】変更
【補正の内容】
【００１８】
上記の駆動回路において前記線形領域で、前記映像データの上位ｐビットに対応して選択した１個の階調電圧に前記映像データの下位ｑビットに対応したオフセット電圧を加算または減算した電圧を出力する出力回路を更に備えるようにしてもよい。
【手続補正９】
【補正対象書類名】明細書
【補正対象項目名】００１９
【補正方法】変更
【補正の内容】
【００１９】
上記の駆動回路において、前記線形領域で、前記映像データの上位ｐビットに対応して選択した２個の階調電圧を前記映像データの下位ｑビットに対応して前記選択した２個の階調電圧との間の電圧を出力する出力回路を更に備えるようにしてもよい。
【手続補正１０】
【補正対象書類名】明細書
【補正対象項目名】００２０
【補正方法】変更
【補正の内容】
【００２０】
本発明によれば、映像データに応じた複数の階調電圧で駆動される表示装置のための駆動方法であって、ｍ＋ｎ個の階調電圧を発生する階調電圧発生ステップと、前記表示装置の電圧−輝度特性が非線形領域か、または線形領域かを映像データの上位ｋビットから判別するステップと、前記非線形領域で、映像データの上位ｐビットと下位ｑビットとの全ビットに対応し前記ｍ個の階調電圧のなかから１個の階調電圧を選択するか、または、前記線形領域で、映像データの上位ｐビットに対応し前記ｎ個の階調電圧のなかから１または２個の階調電圧を選択するステップと、を有することを特徴とする多階調デジタル映像データを表示するための駆動方法が提供される。
【手続補正１１】
【補正対象書類名】明細書
【補正対象項目名】００２１
【補正方法】変更
【補正の内容】
【００２１】
上記の駆動方法において、前記線形領域で、前記映像データの上位ｐビットに対応して選択した１個の階調電圧に前記映像データの下位ｑビットに対応したオフセット電圧を加算または減算した電圧を出力するステップを更に有するようにしてもよい。
【手続補正１２】
【補正対象書類名】明細書
【補正対象項目名】００２２
【補正方法】変更
【補正の内容】
【００２２】
上記の駆動方法において、前記線形領域で、前記映像データの上位ｐビットに対応して選択した２個の階調電圧を前記映像データの下位ｑビットに対応して前記選択した２個の階調電圧との間の電圧を出力するステップを更に有するようにしてもよい。
【手続補正１３】
【補正対象書類名】明細書
【補正対象項目名】００２５
【補正方法】削除
【補正の内容】
【手続補正１４】
【補正対象書類名】明細書
【補正対象項目名】００２７
【補正方法】変更
【補正の内容】
【００２７】
階調電圧選択回路１０２Ａは、図１３又は図１４に示す従来例による階調電圧選択回路と同様な構成をとる。また、階調電圧選択回路１０２Ａは、図２に示すように、デジタル映像データの全ビットＢ０〜Ｂ７の値に応じて、階調電圧発生回路１０１Ａから入力した１６０個の階調電圧から１つの電圧を電圧ＶINTとして選択する。デジタル映像データの値が０〜３１である範囲では、電圧Ｖ０、Ｖ１、Ｖ２、・・・、Ｖ３１を電圧ＶINTとして選択し、デジタル映像データの値が３２〜２２３である範囲では、電圧Ｖ３２、Ｖ３４、Ｖ３６、・・・、Ｖ２２２を電圧ＶINTとして選択し、デジタル映像データの値が２２４〜２５５である範囲では、電圧Ｖ２２４、Ｖ２２５、Ｖ２２６、・・・、Ｖ２５５を出力電圧ＶINTとして選択する。
【手続補正１５】
【補正対象書類名】明細書
【補正対象項目名】００３１
【補正方法】変更
【補正の内容】
【００３１】
従って、出力回路兼増幅器１０４Ａが出力する出力電圧ＶOUTの値は、図２に示すように、映像データの値に応じて変化する。すなわち、映像データの値が０〜３１である範囲では、出力電圧ＶOUTの値は、Ｖ０、Ｖ１、Ｖ２、・・・、Ｖ３１であり、映像データの値が３２〜２２３である範囲では、出力電圧ＶOUTの値は、Ｖ３２、Ｖ３２＋α、Ｖ３４、Ｖ３４＋α、・・・、Ｖ２２２、Ｖ２２２＋αであり、映像データの値が２２４〜２５５である範囲では、出力電圧ＶOUTの値は、Ｖ２２４、Ｖ２２５、Ｖ２２６、・・・、Ｖ２５５である。なお、オフセット電圧αの値は、スイッチＳＷ１の出力端子にゲートが接続されるトランジスタとその対のトランジスタの寸法を調整することにより、例えば、典型的な液晶パネルについての電圧Ｖ１２６と電圧Ｖ１２８との差の約１／２とする。
【手続補正１６】
【補正対象書類名】明細書
【補正対象項目名】００３２
【補正方法】変更
【補正の内容】
【００３２】
階調電圧発生回路１０１Ａが出力する電圧のうち、線形領域で出力する電圧をＶ３２、Ｖ３４、・・・、Ｖ２２２ではなく、Ｖ３３、Ｖ３５、・・・、Ｖ２２３に変えて、下位ビット制御回路１０３Ａの構成を変えて、スイッチＳＷ１の第２の入力端子に供給する電圧を変えることにより、出力回路兼増幅器１０４Ａが、映像データの値が３３、３５、・・・２２３のときに、階調電圧選択回路１０２Ａから入力した電圧ＶINTをそのまま出力電圧ＶOUTとして出力し、映像データの値が３２、３４、・・・、２２２であるときに、階調電圧選択回路１０２Ａから入力した電圧ＶINTからオフセット電圧を減算した電圧を出力電圧ＶOUTとして出力するようにすることも可能である。
【手続補正１７】
【補正対象書類名】明細書
【補正対象項目名】００３３
【補正方法】変更
【補正の内容】
【００３３】
［実施形態２］
図５に、本発明の実施形態２による駆動回路の要部の構成を示す。実施形態２の駆動回路は、従来例による８０ビットシフトレジスタ９０１、データレジスタ９０２、データラッチ回路９０３を備えるが、図５には示していない。階調電圧発生回路１０１Ｂは、階調電圧発生回路９０６と同様なものである。階調電圧選択回路１０２Ｂは、２４０個集まって、従来例による階調電圧選択回路群９０４と同一の位置にある階調電圧選択回路群を構成する。下位ビット制御回路１０３Ｂは実施形態２で新たに追加された。出力回路兼増幅器１０４Ｂは、２４０個集まって、従来例による増幅器群９０５と同一の位置にある出力回路兼増幅器群を構成するが、従来例による増幅器群９０５に抵抗及びスイッチを追加したものである。
【手続補正１８】
【補正対象書類名】明細書
【補正対象項目名】００３４
【補正方法】削除
【補正の内容】
【手続補正１９】
【補正対象書類名】明細書
【補正対象項目名】００３６
【補正方法】変更
【補正の内容】
【００３６】
階調電圧選択回路１０２Ｂは、図１３又は図１４に示す従来例による階調電圧選択回路を２個併せたものと同様な構成をとる。また、階調電圧選択回路１０２Ｂは、図６に示すように、デジタル映像データの全ビットＢ０〜Ｂ７の値に応じて、階調電圧発生回路１０１Ｂから入力した１１２個の階調電圧から相互に隣接する２つの電圧を電圧ＶU、ＶDとして選択する。デジタル映像データの値が０〜３１である範囲では、電圧Ｖ０、Ｖ１、Ｖ２、・・・、Ｖ３１を電圧ＶDとして選択し、デジタル映像データの値が３２〜２２３である範囲では、電圧Ｖ３２、Ｖ３６、Ｖ４０、・・・、Ｖ２２０を電圧ＶDとして選択し、デジタル映像データの値が２２４〜２５５である範囲では、電圧Ｖ２２４、Ｖ２２５、Ｖ２２６、・・・、Ｖ２５５を電圧ＶDとして選択する。また、デジタル映像データの値が０〜３１である範囲では、電圧Ｖ１、Ｖ２、Ｖ３、・・・、Ｖ３２を電圧ＶUとして選択し、デジタル映像データの値が３２〜２２３である範囲では、電圧Ｖ３６、Ｖ４０、Ｖ４４、・・・、Ｖ２２４を電圧ＶUとして選択し、デジタル映像データの値が２２４〜２５５である範囲では、電圧Ｖ２２４、Ｖ２２５、Ｖ２２６、Ｖ２２７、・・・、Ｖ２５５を電圧ＶDとして選択する。
【手続補正２０】
【補正対象書類名】図面
【補正対象項目名】図１
【補正方法】変更
【補正の内容】
【図１】
2002014656.tif 000001
【手続補正２１】
【補正対象書類名】図面
【補正対象項目名】図５
【補正方法】変更
【補正の内容】
【図５】
2002014656.tif 000002
【手続補正２２】
【補正対象書類名】図面
【補正対象項目名】図７
【補正方法】変更
【補正の内容】
【図７】
2002014656.tif 000003